(57)【特許請求の範囲】
【請求項１】
表面に絵付が施された壁部を有する陶磁器本体を備え、前記絵付の図柄に応じて光らせたい前記壁部の箇所に所定光度の光が透過可能な厚みの薄い薄肉部を形成し、形成した前記薄肉部に対し所定光度の光を透過させることで前記壁部における前記絵付の図柄に応じて光らせたい箇所を光らせるようにした陶磁器製装飾体において、
前記陶磁器本体をカップ形状に形成し、前記薄肉部に対応するように凹部を前記壁部の裏面に後方に向けて開口するように形成し、前記所定光度の光を発する発光体を前記凹部内またはその近傍に配置し、この配置された状態を前記陶磁器本体に固定される支持部材で保持させて、前記発光体から発せられる所定光度の光が対応する前記凹部を通して対応する前記薄肉部を透過するようにし、
前記カップ形状の前記陶磁器本体に付設されるサーモスイッチを、前記発光体と電源との間の電気回路に介設し、前記陶磁器本体の温度が所定温度以上となったときに前記サーモスイッチにより前記電気回路が閉じて前記複数の発光体が光るようにしたことを特徴とする陶磁器製装飾体。
【請求項２】
表面に絵付が施された壁部を有する陶磁器本体を備え、前記絵付の図柄に応じて光らせたい前記壁部の箇所に所定光度の光が透過可能な厚みの薄い薄肉部を形成し、形成した前記薄肉部に対し所定光度の光を透過させることで前記壁部における前記絵付の図柄に応じて光らせたい箇所を光らせるようにした陶磁器製装飾体において、
前記陶磁器本体をカップ形状に形成し、前記薄肉部に対応するように凹部を前記壁部の裏面に後方に向けて開口するように形成し、前記所定光度の光を発する発光体を前記凹部内またはその近傍に配置し、この配置された状態を前記陶磁器本体に固定される支持部材で保持させて、前記発光体から発せられる所定光度の光が対応する前記凹部を通して対応する前記薄肉部を透過するようにし、
前記カップ形状の前記陶磁器本体に付設される温度センサと、この温度センサからの温度検出信号に基づいて前記発光体の発光を制御するコントローラとを備え、前記コントローラは、前記温度センサからの温度検出信号に基づいて前記陶磁器本体の温度が所定温度以上または所定温度以下になったと判断したときに前記複数の発光体を光らせることを特徴とする陶磁器製装飾体。
【発明の詳細な説明】
【技術分野】
【０００１】
本発明は、幻想的な雰囲気を醸し出すようにした陶器、磁器製の装飾体に関し、特に、薄肉部に光を透過させてぼんやりとした独特の美しい光を放つようにした陶磁器製装飾体に関するものである。
【背景技術】
【０００２】
陶磁器は、それ自体に光を透過させる性質を有しているが、肉厚が比較的厚い場合には、後方から照射された所定光度の光が透過できず、表面に施された絵付の図柄がそのまま表現されるのに対し、絵付が施された所定部位の肉厚を薄くした場合には、所定光度の光がその薄肉部を透過して、当該部位がぼんやりとした独特の美しさを放って発光し、幻想的な雰囲気が醸し出される。このような陶磁器の性質を利用した装飾体が例えば特許文献１にて提案されている。
【先行技術文献】
【特許文献】
【０００３】
【特許文献１】実用新案登録第３１２１３８９号公報
【０００４】
図９（ａ）および（ｂ）に示されるように、上記特許文献１に係る従来の陶磁器製装飾体１００は、壁掛け用の装飾体であって、正面から見て矩形状に形成される一方、図９（ｃ）に示されるように、絵付が施された表面側が前方に膨らんだ形状に形成され、その背面側に形成された空間には、電球１０１が配置されている。
【０００５】
図９（ｄ）に示されるように、絵付の図柄に応じて光らせたい壁部１０２の複数箇所には、所定光度の光が透過可能な厚みの薄い複数の薄肉部１０３がそれぞれ対応して形成され、形成した複数の薄肉部１０３に対し電球１０１からの所定光度の光を透過させることで絵付の図柄に応じて光らせたい複数箇所を光らせるようにしている。
【０００６】
しかしながら、従来の陶磁器製装飾体１００では、図柄に応じて光らせたい壁部１０２の複数箇所に対応して形成される複数の薄肉部１０３の全てに対して１つ電球１０１の光を透過させる構成であるため、図柄に応じて光らせたい複数箇所を電球色の１色で、しかも同じタイミングでしか光らせることができず、幻想的な雰囲気は醸し出すことができるものの、華やかさに欠けるとともに、表現の自由度が低いという問題点がある。
【発明の概要】
【発明が解決しようとする課題】
【０００７】
本発明は、前述のような問題点に鑑みてなされたもので、絵付の図柄に応じて光らせたい箇所が複数存在しても、それらの箇所を個々に光らせたい色で光らせたり、異なるタイミングで光らせたりすることができ、これによって華やかで幻想的な雰囲気を醸し出すことができるとともに、表現の自由度を高めることができる陶磁器製装飾体を提供することを目的とするものである。
【課題を解決するための手段】
【０００９】
前記目的を達成するために、第１発明による陶磁器製装飾体は、
表面に絵付が施された壁部を有する陶磁器本体を備え、前記絵付の図柄に応じて光らせたい前記壁部の箇所に所定光度の光が透過可能な厚みの薄い薄肉部を形成し、形成した前記薄肉部に対し所定光度の光を透過させることで前記壁部における前記絵付の図柄に応じて光らせたい箇所を光らせるようにした陶磁器製装飾体において、
前記陶磁器本体をカップ形状に形成し、前記薄肉部に対応するように凹部を前記壁部の裏面に後方に向けて開口するように形成し、前記所定光度の光を発する発光体を前記凹部内またはその近傍に配置し、この配置された状態を前記陶磁器本体に固定される支持部材で保持させて、前記発光体から発せられる所定光度の光が対応する前記凹部を通して対応する前記薄肉部を透過するようにし、
前記カップ形状の前記陶磁器本体に付設されるサーモスイッチを、前記発光体と電源との間の電気回路に介設し、前記陶磁器本体の温度が所定温度以上となったときに前記サーモスイッチにより前記電気回路が閉じて前記複数の発光体が光るようにしたことを特徴とするものである。
【００１０】
また、第２発明による陶磁器製装飾体は、
表面に絵付が施された壁部を有する陶磁器本体を備え、前記絵付の図柄に応じて光らせたい前記壁部の箇所に所定光度の光が透過可能な厚みの薄い薄肉部を形成し、形成した前記薄肉部に対し所定光度の光を透過させることで前記壁部における前記絵付の図柄に応じて光らせたい箇所を光らせるようにした陶磁器製装飾体において、
前記陶磁器本体をカップ形状に形成し、前記薄肉部に対応するように凹部を前記壁部の裏面に後方に向けて開口するように形成し、前記所定光度の光を発する発光体を前記凹部内またはその近傍に配置し、この配置された状態を前記陶磁器本体に固定される支持部材で保持させて、前記発光体から発せられる所定光度の光が対応する前記凹部を通して対応する前記薄肉部を透過するようにし、
前記カップ形状の前記陶磁器本体に付設される温度センサと、この温度センサからの温度検出信号に基づいて前記発光体の発光を制御するコントローラとを備え、前記コントローラは、前記温度センサからの温度検出信号に基づいて前記陶磁器本体の温度が所定温度以上または所定温度以下になったと判断したときに前記複数の発光体を光らせることを特徴とするものである。
【発明の効果】
【００１２】
第１発明および第２発明によれば、凹部内またはその近傍に配置される発光体からの所定光度の光がその凹部を通して対応する薄肉部を透過するようにされているので、絵付の図柄に応じて光らせたい箇所が複数個存在しても、それらの箇所を個々に光らせたい色で光らせたり、異なるタイミングで光らせたりすることができ、これによって華やかで幻想的な雰囲気を醸し出すことができるとともに、表現の自由度を高めることができる。
【００１３】
さらに、第１発明によれば、カップ形状に形成された陶磁器本体内に所定温度以上の飲物等が入っている間だけ発光体を光らせることができる。
【００１４】
また、第２発明によれば、カップ形状に形成された陶磁器本体内に所定温度以上または所定温度以下の飲物等が入っている間だけ発光体を光らせることができる。
【図面の簡単な説明】
【００１６】
【図１】本発明の前提技術である陶磁器製装飾体を示す図で、（ａ）は正面図、（ｂ）は平面図、（ｃ）は側面図、（ｄ）は背面図である。
【図２】図１（ｄ）のＡ−Ａ線断面図である。
【図３】図２のＥ部拡大図である。
【図４】前提技術の陶磁器製装飾体の要部横断面を示す図で、（ａ）は図１（ｄ）のＢ−Ｂ線要部断面図、（ｂ）は図１（ｄ）のＣ−Ｃ線要部断面図、（ｃ）は図１（ｄ）のＤ−Ｄ線要部断面図である。
【図５】本発明の第１の実施形態に係る陶磁器製装飾体を示す図で、（ａ）は縦断面図、（ｂ）は（ａ）のＦ−Ｆ線断面図、（ｃ）は（ａ）のＧ部拡大図である。
【図６】第１の実施形態の陶磁器製装飾体の絵付の展開された図柄を示す図である。
【図７】第１の実施形態の陶磁器製装飾体に組み込まれる発光装置の機能ブロック図である。
【図８】第２の実施形態の陶磁器製装飾体に組み込まれる発光装置の機能ブロック図である。
【図９】従来技術の説明図である。
【発明を実施するための形態】
【００１７】
次に、本発明による陶磁器製装飾体の具体的な実施の形態について、図面を参照しつつ説明する。なお、以下の説明において、陶磁器製装飾体の外観を見る側の面を「表面」とし、その反対側を「裏面」とする。
【００１８】
〔前提技術〕
図１には、本発明の前提技術である陶磁器製装飾体を示す図で、正面図（ａ）、平面図（ｂ）、側面図（ｃ）および背面図（ｄ）がそれぞれ示されている。
【００１９】
＜前提技術の陶磁器製装飾体の概略説明＞
図１（ａ）および（ｂ）に示される陶磁器製装飾体１Ａは、陶磁器本体２と、陶磁器本体２の正面側から見て左上部に組み付けられるアナログ式の時計３と、陶磁器本体２の裏面側に組み付けられる発光装置４とを備えて構成されている。
【００２０】
＜陶磁器本体の説明＞
陶磁器本体２は、天然の粘土や陶石から、あるいは珪石や長石などの材料から人工的に合成した、可塑性を有する陶磁器材料を使用し、これを比較的高温で焼成してなるものであって、図１（ｂ）に示されるように、前方に凸に湾曲した所定厚みの正面視矩形板状の湾曲板状壁部５と、図１（ｃ）および（ｄ）に示されるように、湾曲板状壁部５が後方にやや傾斜して起立する状態を保つようにその湾曲板状壁部５を支持する左右一対の支持部６と、これら支持部６の上端部同士、中間部同士および下端部同士をそれぞれ繋ぐように配されて湾曲板状壁部５を補強する上段、中段および下段の補強部７，８，９とを有している。
【００２１】
＜薄肉部の説明＞
図１（ａ）に示されるように、陶磁器本体２の表面（前面）には、例えば、雪降る山間部の村に数軒の古民家が建ち並ぶ日本の田舎の原風景を表現したような図柄の絵付が施されている。
図２に示されるように、陶磁器本体２において、絵付の図柄に応じて光らせたい湾曲板状壁部５の複数箇所、例えば、舞い降りる雪の図柄が描かれた箇所や、古民家の図柄における窓が描かれた箇所、古民家の正面側に立ち並ぶ背の低い街路樹の図柄が描かれた箇所などには、所定光度の光が透過可能な厚みの薄い薄肉部１０が形成されている。ここで、薄肉部１０の平均厚みは、粘土の組成によっても異なるものだが、２．５〜４．０ｍｍ程度にする必要がある。これは、後述する各ＬＥＤチップ２２，２３，２４の光が透過するには、所定以下の厚みである必要がある一方、製作時において、例えば、焼成時に割れたり、貫通してしまったりすることがないような厚さを備えている必要があるからである。
【００２２】
＜凹部の説明＞
湾曲板状壁部５の裏面には、複数の薄肉部１０のそれぞれに対応するように複数の凹部１１が設けられている。図３に示されるように、各凹部１１は、対応する薄肉部１０から湾曲板状壁部５の後方に向けて開口するように湾曲板状壁部５の裏面を丸穴状に窪ませることで形成され、薄肉部１０の裏面と湾曲板状壁部５の裏面との間に薄肉部１０を取り囲むように連続する内周壁面１２を有している。内周壁面１２は、薄肉部１０から湾曲板状壁部５の後方に向かって進むに従って次第に内径が大きくなるような円錐台状のテーパ面で構成されている。これにより、各凹部１１は、対応する薄肉部１０との境界位置から内周壁面１２と湾曲板状壁部５の裏面との交わりの角部１３（以下、この角部１３を「開口縁１３」と称する。）側に進むに従って開口面積が広がる形状とされる。
なお、薄肉部１０の裏面と内周壁面１２との交わりの角部１４には、丸みを持たせるためのフィレット加工（Ｒ面取り加工）が施され、応力集中や焼成時の割れを避けるようにしている。
【００２３】
＜発光装置の説明＞
図１（ｄ）に示されるように、発光装置４は、白色ＬＥＤ（発光ダイオード）テープ１５、黄色ＬＥＤテープ１６および緑色ＬＥＤテープ１７と、これらＬＥＤテープ１５，１６，１７への電力の供給源である電源１８と、それらＬＥＤテープ１５，１６，１７と電源１８との間に設けられ、各ＬＥＤテープ１５，１６，１７の点滅や発光タイミング等の発光を制御するＬＥＤコントローラ１９とを備えて構成されている。
【００２４】
＜白色ＬＥＤテープの説明＞
図１（ｄ）に示されるように、白色ＬＥＤテープ１５は、湾曲板状壁部５の裏面における左右の支持部６と上段および中段の補強部７，８とで囲まれる領域内の上段、中段および下段位置にそれぞれ所定間隔を存して配されている。
【００２５】
図４（ａ）に示されるように、各白色ＬＥＤテープ１５は、線状のプリント基板（図示省略）を内包し凹部１１およびその周辺を覆うことのできる帯状の可撓性テープ２１に、所定光度の白色光を発する複数の白色ＬＥＤチップ２２がプリント基板と電気的に接続された状態で可撓性テープ２１の長さ方向に所定ピッチで埋設されてなるものである。複数の白色ＬＥＤチップ２２は、湾曲板状壁部５の表面に描かれた舞い降りる雪の図柄の箇所に設けられる所要の薄肉部１０に応じて形成される所要の凹部１１のそれぞれに対応させて凹部１１の入口付近内部に組み込み配置されており、この配置された状態を湾曲板状壁部５の裏面に接着剤や粘着テープ等の固定手段で固定される可撓性テープ２１で保持させて、個々の白色ＬＥＤチップ２２から発せられる所定光度の白色光が対応する個々の凹部１１を通して対応する個々の薄肉部１０を透過するようにされている。こうして、湾曲板状壁部５の表面に描かれた舞い降りる雪の図柄の箇所が、ぼんやりとした独特の美しい白色光を放って光るようにされている。
【００２６】
＜黄色ＬＥＤテープの説明＞
図１（ｄ）に示されるように、黄色ＬＥＤテープ１６は、湾曲板状壁部５の裏面における左右の支持部６と中段および下段の補強部８，９とで囲まれる領域内の上部位置に上下２段にそれぞれ所定間隔を存して配されている。
【００２７】
図４（ｂ）に示されるように、各黄色ＬＥＤテープ１６は、前述した白色ＬＥＤテープ１５と同様の構造で、可撓性テープ２１に、所定光度の黄色光を発する複数の黄色ＬＥＤチップ２３が埋設されてなるものである。複数の黄色ＬＥＤチップ２３は、湾曲板状壁部５の表面に描かれた古民家の図柄における窓の箇所に設けられる所要の薄肉部１０に応じて形成される所要の凹部１１のそれぞれに対応させて凹部１１の入口付近内部に組み込み配置されており、この配置された状態を湾曲板状壁部５の裏面に接着剤や粘着テープ等の固定手段で固定される可撓性テープ２１で保持させて、個々の黄色ＬＥＤチップ２３から発せられる所定光度の黄色光が対応する個々の凹部１１を通して対応する個々の薄肉部１０を透過するようにされている。こうして、湾曲板状壁部５の表面に描かれた古民家の図柄における窓の箇所が、ぼんやりとした独特の美しい黄色光を放って光るようにされている。
【００２８】
＜緑色ＬＥＤテープの説明＞
図１（ｄ）に示されるように、緑色ＬＥＤテープ１７は、湾曲板状壁部５の裏面における左右の支持部６と中段および下段の補強部８，９とで囲まれる領域内の下部位置に配されている。
【００２９】
図４（ｃ）に示されるように、緑色ＬＥＤテープ１７は、前述した白色ＬＥＤテープ１５や黄色ＬＥＤテープ１６と同様の構造で、可撓性テープ２１に、所定光度の緑色光を発する複数の緑色ＬＥＤチップ２４が埋設されてなるものである。複数の緑色ＬＥＤチップ２４は、湾曲板状壁部５の表面に描かれた古民家の正面側に立ち並ぶ背の低い街路樹の図柄の箇所に設けられる所要の薄肉部１０に応じて形成される所要の凹部１１のそれぞれに対応させて凹部１１の入口付近内部に組み込み配置されており、この配置された状態を湾曲板状壁部５の裏面に接着剤や粘着テープ等の固定手段で固定される可撓性テープ２１で保持させて、個々の緑色ＬＥＤチップ２４から発せられる所定光度の緑色光が対応する個々の凹部１１を通して対応する個々の薄肉部１０を透過するようにされている。こうして、湾曲板状壁部５の表面に描かれた古民家の正面側に立ち並ぶ背の低い街路樹の箇所が、ぼんやりとした独特の美しい緑色光を放って光るようにされている。
【００３０】
＜発光動作の説明＞
以上に述べたように構成される陶磁器製装飾体１Ａにおいて、ＬＥＤコントローラ１９により、黄色ＬＥＤテープ１６における黄色ＬＥＤチップ２３を発光させるとともに、緑色ＬＥＤテープ１７における緑色ＬＥＤチップ２４を発光させ、加えて、上段、中段および下段位置にそれぞれ配される白色ＬＥＤテープ１５については、上段、中段および下段の順で白色ＬＥＤチップ２２を発光させ、再度上段に戻って同様の順序で発光を繰り返すように各白色ＬＥＤテープ１５の点滅や発光タイミング等を制御する。
【００３１】
これにより、湾曲板状壁部５の表面に描かれた古民家の図柄における窓の箇所が、ぼんやりとした独特の美しい黄色光を放って光り、古民家の暖かい雰囲気が醸し出される。また、湾曲板状壁部５の表面に描かれた古民家の正面側に立ち並ぶ背の低い街路樹の箇所が、ぼんやりとした独特の美しい緑色光を放って光り、古民家の暖かい雰囲気がより引き立てられる。さらに、舞い降りる雪の図柄が描かれた箇所が、上段、中段および下段位置の順で、ぼんやりとした独特の美しい白色光を放って繰り返し光り、雪が絶え間なく深々と降っている様子が動的に表現される。
【００３２】
＜作用効果の説明＞
以上のように、前提技術のものは、表面に絵付が施された湾曲板状壁部５を有する陶磁器本体２を備え、絵付の図柄に応じて光らせたい湾曲板状壁部５の複数箇所に所定光度の光が透過可能な厚みの薄い複数の薄肉部１０をそれぞれ対応させて形成し、形成した複数の薄肉部１０に対し所定光度の光を透過させることで湾曲板状壁部５における絵付の図柄に応じて光らせたい複数箇所を光らせるようにした陶磁器製装飾体１Ａにおいて、複数の薄肉部１０のそれぞれに対応するように複数の凹部１１を湾曲板状壁部５の裏面に後方に向けて開口するように形成し、所定光度の光を発する複数のＬＥＤチップ２２，２３，２４を複数の凹部１１のそれぞれに対応させて凹部１１の入口付近に組み込み配置し、この配置された状態を陶磁器本体２に固定される可撓性テープ２１で保持させて、個々のＬＥＤチップ２２，２３，２４から発せられる所定光度の光が対応する個々の凹部１１を通して対応する個々の薄肉部１０を透過するようにされていることから以下のような作用効果を奏するものとなる。
【００３３】
すなわち、前提技術の陶磁器製装飾体１Ａによれば、絵付の図柄に応じて光らせたい箇所が複数個存在しても、それらの箇所を個々に光らせたい色で光らせたり、異なるタイミングで光らせたりすることができ、これによって華やかで幻想的な雰囲気を醸し出すことができるとともに、表現の自由度を高めることができる。
【００３４】
ところで、陶磁器本体２を構成する材料は、焼成前は水分を含んだ粘土の状態で可塑性があり、成形・加工が容易である。成形・加工をした材料を焼成すると、水分が抜け、材料の粒子間の結合が起こり、比較的堅い「焼き物」、すなわち製品としての陶磁器が完成する。陶磁器として完成した際、粘土の状態の寸法から１０〜２０％程度の収縮が起こる。このような収縮が起こることを見越して、複数のＬＥＤチップ２２，２３，２４との配置のずれをなくすように、陶磁器の材料に複数の凹部１１を形成する位置を焼成前の段階で定めるようにしていても、かかる収縮現象が陶磁器本体２の全体に均一に起こるのではなく、陶磁器本体２の形状や補強部材の有無等の条件で収縮の度合が陶磁器本体２の部位によって異なるため、どうしても凹部１１とＬＥＤチップ２２，２３，２４との配置が多少ずれることがある。
【００３５】
そこで、前提技術の陶磁器製装飾体１Ａにおいては、各凹部１１の内周壁面１２が、薄肉部１０から湾曲板状壁部５の後方に向かって進むに従って次第に内径が大きくなるような円錐台状のテーパ面で構成され、各凹部１１が、対応する薄肉部１０との境界位置（角部１４の位置）から開口縁１３側に進むに従って開口面積が広がる形状とされている。これにより、凹部１１とＬＥＤチップ２２，２３，２４との配置が多少ずれたとしても、ＬＥＤチップ２２，２３，２４から発せられる光を凹部１１内に取り込み、ＬＥＤチップ２２，２３，２４から発せられる光を遮ることなく薄肉部１０へと導くことができる。
【００３６】
〔第１の実施形態〕
図５には、本発明の第１の実施形態に係る陶磁器製装飾体を示す図で、縦断面図（ａ）、（ａ）のＦ−Ｆ線断面図（ｂ）および（ａ）のＧ部拡大図（ｃ）がそれぞれ示されている。なお、第１の実施形態において、前提技術と同一または同様のものについては図に同一符号を付すに留めてその詳細な説明を省略することとし、以下においては、第１の実施形態に特有の部分を中心に説明することとする。
【００３７】
＜第１の実施形態の陶磁器製装飾体の概略説明＞
図５（ａ）〜（ｃ）に示されるように、第１の実施形態の陶磁器製装飾体１Ｂにおいて、陶磁器本体３０は、上方に向かって進むに従って次第に内径および外径が共に広がる逆円錐台形の筒状壁部３１と、筒状壁部３１の下部に所要の空間３２が形成されるようにその内部を上下に仕切る仕切り壁部３３とを有し、全体がマグカップ形状に形成されている。また、空間３２には、発光装置３４が組み込まれ、発光装置３４が組み込まれた空間３２内に外部から水等が入らないように図示されない封止手段（Ｏリングや液体パッキン、接着剤等）を介して筒状壁部３１の下端部を塞ぐように蓋体３５が筒状壁部３１の内周面に固着されている。
【００３８】
＜薄肉部の説明＞
陶磁器本体３０における筒状壁部３１の表面には、例えば図６に示されるような、水玉や雲、星をモチーフにした斬新なデザインの絵付が施されている。
筒状壁部３１の下部の表面には、周方向に所定間隔を設けて描かれた擬人化した３つの種類の異なる星の図柄を１つのグループとして、第１グループ３６、第２グループ３７および第３グループ３８の合計３つのグループの星の図柄（合計９個の星の図柄）が描かれている。
【００３９】
図５（ａ）〜（ｃ）に示されるように、筒状壁部３１の下部において、３つのグループ３６，３７，３８の星の図柄が描かれた箇所には、所定光度の光が透過可能な厚みの薄い複数の薄肉部４０が形成されている。
ここで、前提技術の陶磁器製装飾体１Ａにおいて設けられる薄肉部１０は、その全体の肉厚が一定であるのに対し、第１の実施形態の陶磁器製装飾体１Ｂにおいて設けられる薄肉部４０は、その肉厚を意図的に変化させ、より具体的には、当該薄肉部４０における、星の図柄の中央部分に相当する部位の肉厚に対し、星の図柄の尖った先端部に相当する部位の肉厚を相対的に薄く形成して、筒状壁部３１の表面への光の透過率を変化させることにより、筒状壁部３１の外部から見える光の明るさを変化させるようにしている。
【００４０】
＜凹部の説明＞
筒状壁部３１の裏面には、複数の薄肉部４０のそれぞれに対応するように複数の凹部４１が設けられている。各凹部４１は、対応する薄肉部４０から筒状壁部３１の後方に向けて開口するように筒状壁部３１の裏面を四角穴状に窪ませることで形成され、薄肉部４０の裏面と筒状壁部３１の裏面との間に薄肉部４０を取り囲むように連続する内周壁面４２を有している。内周壁面４２は、薄肉部４０から筒状壁部３１の後方に向かって進むに従って次第に対向面間距離が大きくなるような四角錐台状のテーパ面で構成されている。これにより、各凹部４１は、対応する薄肉部４０との境界位置から内周壁面４２と筒状壁部３１の裏面との交わりの角部４３（以下、この角部４３を「開口縁４３」と称する。）側に進むに従って開口面積が広がる形状とされる。
なお、薄肉部４０の裏面と内周壁面４２との交わりの角部４４には、丸みを持たせるためのフィレット加工（Ｒ面取り加工）が施され、応力集中や焼成時の割れを避けるようにしている。
【００４１】
＜発光装置の説明＞
図５（ａ）〜（ｃ）および図７に示されるように、発光装置３４は、筒状壁部３１の下部の内周壁面に当接させた状態で配される白色ＬＥＤテープ４５、黄色ＬＥＤテープ４６および緑色ＬＥＤテープ４７と、各ＬＥＤテープ４５，４６，４７の点滅や発光タイミング等を制御するＬＥＤコントローラ４８と、各ＬＥＤテープ４５，４６，４７への電力の供給源である小型バッテリ電源４９と、各ＬＥＤテープ４５，４６，４７と小型バッテリ電源４９との間の電気回路に介設されるサーモスイッチ５０とを備えて構成されている。
【００４２】
＜各ＬＥＤテープの説明＞
白色ＬＥＤテープ４５は、可撓性テープ２１に対する白色ＬＥＤチップ２２の埋設個数が異なるだけで前記した白色ＬＥＤテープ１５と基本構成は同じである。白色ＬＥＤテープ４５における複数（本例では３つ）の白色ＬＥＤチップ２２は、第１グループ３６の星の図柄の箇所に設けられる３つの薄肉部４０に応じて形成される３つの凹部４１のそれぞれに対応させて凹部４１の入口付近内部に組み込み配置され、この配置された状態を筒状壁部３１の裏面に接着剤や粘着テープ等の固定手段で固定される可撓性テープ２１で保持させて、個々の白色ＬＥＤチップ２２から発せられる所定光度の白色光が対応する個々の凹部４１を通して対応する個々の薄肉部４０を透過するようにされている。
【００４３】
一方、黄色ＬＥＤテープ４６における複数（本例では３つ）の黄色ＬＥＤチップ２３は、第２グループ３７の星の図柄の箇所に設けられる３つの薄肉部４０に応じて形成される３つの凹部４１のそれぞれに対応させて凹部４１の入口付近内部に組み込み配置され、緑色ＬＥＤテープ４７における複数（本例では３つ）の緑色ＬＥＤチップ２４は、第３グループ３８の星の図柄の箇所に設けられる３つの薄肉部４０に応じて形成される３つの凹部４１のそれぞれに対応させて凹部４１の入口付近内部に組み込み配置され、以下、白色ＬＥＤテープ４５の場合と同様にして可撓性テープ２１でその配置状態を保持させて、個々の黄色ＬＥＤチップ２３や緑色ＬＥＤチップ２４から発せられる所定光度の黄色光や緑色光が対応する個々の凹部４１を通して対応する個々の薄肉部４０を透過するようにされている。
【００４４】
また、サーモスイッチ５０は、所定温度未満では接点が開いたままであるのに対し、所定温度以上では接点が閉じるバイメタル方式の電気回路開閉器である。
ここで、仕切り壁部３３の下面には、接着剤や両面粘着テープ等の固定手段によって金属製または陶磁器製のブロック部材５５が一体的に取り付けられ（仕切り壁部３３との一体成形の態様もあり得る）、このブロック部材５５の中心部には、水平方向に貫通する開口部５５ａが形成され、この開口部５５ａの内部にサーモスイッチ５０が組み込まれている。
【００４５】
＜発光動作の説明＞
以上に述べたように構成される第１の実施形態の陶磁器製装飾体１Ｂにおいて、カップ形状に形成された陶磁器本体３０内の収容部３０ａに所定温度以上の例えばホットコーヒー等の飲物が注ぎ込まれ、陶磁器本体３０における仕切り壁部３３（ブロック部材５５）の温度が所定温度以上になると、ブロック部材５５の内部に組み込まれたサーモスイッチ５０の接点が閉じ、これによって各ＬＥＤテープ４５，４６，４７と小型バッテリ電源４９との間の電気回路が閉じることになる。また、ＬＥＤコントローラ４８により、例えば、白色ＬＥＤテープ４５、黄色ＬＥＤテープ４６および緑色ＬＥＤテープ４７の順で各ＬＥＤテープ４５，４６，４７に埋設されたＬＥＤチップ２２，２３，２４を発光させ、再度白色ＬＥＤテープ４５に戻って同様の順序で発光を繰り返すように各ＬＥＤテープ４５，４６，４７の点滅や発光タイミング等を制御する。
【００４６】
＜作用効果の説明＞
第１の実施形態の陶磁器製装飾体１Ｂによれば、前提技術の陶磁器製装飾体１Ａと同様に、個々のＬＥＤチップ２２，２３，２４から発せられる所定光度の光が対応する個々の凹部４１を通して対応する個々の薄肉部４０を透過するようにされているので、絵付の図柄に応じて光らせたい箇所が複数個存在しても、それらの箇所を個々に光らせたい色で光らせたり、異なるタイミングで光らせたりすることができ、これによって華やかで幻想的な雰囲気を醸し出すことができるとともに、表現の自由度を高めることができる。
【００４７】
さらに、第１の実施形態の陶磁器製装飾体１Ｂによれば、カップ形状に形成された陶磁器本体３０内の収容部３０ａに注ぎ込まれた所定温度以上の飲物等によって仕切り壁部３３（ブロック部材５５）の温度が所定温度以上となったときに、ブロック部材５５の内部に組み込まれたサーモスイッチ５０の接点が閉じて、各ＬＥＤテープ４５，４６，４７と小型バッテリ電源４９との間の電気回路が閉じるようにされているので、陶磁器本体３０内に所定温度以上の飲物等が入っている間だけＬＥＤチップ２２，２３，２４を光らせることができる。
【００４８】
〔第２の実施形態〕
図８には、本発明の第２の実施形態に係る陶磁器製装飾体に設けられる発光装置の機能ブロック図が示されている。なお、第２の実施形態の陶磁器製装飾体１Ｃは、第１の実施形態の陶磁器製装飾体１Ｂと主要構成部分については同じであり、発光装置の構成が異なるのみである。以下においては、第２の実施形態の陶磁器製装飾体１Ｃに特有な部分を中心に説明することとする。
【００４９】
図８の発光装置の機能ブロック図に示されるように、第２の実施形態の陶磁器製装飾体１Ｃにおいて、発光装置５１は、ブロック部材５５の内部に組み込まれる温度センサ５２と、この温度センサ５２からの温度検出信号に基づいて各ＬＥＤテープ４５，４６，４７の点滅や発光タイミング等の発光を制御するＬＥＤコントローラ５３とを備えている。
【００５０】
＜発光動作の説明＞
第２の実施形態の陶磁器製装飾体１Ｃにおいては、カップ形状に形成された陶磁器本体３０内の収容３０ａに所定温度以上または所定温度以下の例えばホットコーヒーまたはアイスコーヒー等の飲物が注ぎ込まれ、温度センサ５２からの温度検出信号に基づいて陶磁器本体３０の温度が所定温度以上または所定温度以下になったとＬＥＤコントローラ５３が判断したときに、ＬＥＤコントローラ５３によって各ＬＥＤテープ４５，４６，４７が予め定められたプログラムに従って発光するように制御される。例えば、ＬＥＤコントローラ５３により、白色ＬＥＤテープ４５、黄色ＬＥＤテープ４６および緑色ＬＥＤテープ４７の順で各ＬＥＤテープ４５，４６，４７に埋設されたＬＥＤチップ２２，２３，２４を発光させ、再度白色ＬＥＤテープ４５に戻って同様の順序で発光を繰り返すように各ＬＥＤテープ４５，４６，４７の点滅や発光タイミング等を制御する。
【００５１】
＜作用効果の説明＞
第２の実施形態の陶磁器製装飾体１Ｃによれば、第１の実施形態の陶磁器製装飾体１Ｂと同様に、個々のＬＥＤチップ２２，２３，２４から発せられる所定光度の光が対応する個々の凹部４１を通して対応する個々の薄肉部４０を透過するようにされているので、絵付の図柄に応じて光らせたい箇所が複数個存在しても、それらの箇所を個々に光らせたい色で光らせたり、異なるタイミングで光らせたりすることができ、これによって華やかで幻想的な雰囲気を醸し出すことができるとともに、表現の自由度を高めることができる。
【００５２】
さらに、第２の実施形態の陶磁器製装飾体によれば、カップ形状に形成された陶磁器本体３０内の収容部３０ａに注ぎ込まれた所定温度以上または所定温度以下の飲物等によって仕切り壁部３３の温度が所定温度以上または所定温度以下となったときに、ＬＥＤコントローラ５３によって各ＬＥＤテープ４５，４６，４７が予め定められたプログラムに従って発光するようにされているので、陶磁器本体３０内に所定温度以上または所定温度以下の飲物等が入っている間だけＬＥＤチップ２２，２３，２４を光らせることができる。
【００５３】
以上、本発明の陶磁器製装飾体について、複数の実施形態に基づいて説明したが、本発明は上記実施形態に記載した構成に限定されるものではなく、各実施形態に記載した構成を適宜組み合わせる等、その趣旨を逸脱しない範囲において適宜その構成を変更することができるものである。
【００５４】
例えば、前提技術および各実施形態において、凹部１１，４１における内周壁面１２，４２を、薄肉部１０，４０から壁部５，３１の後方に向かって進むに従って段階的（２段階あるいは３段階以上）に内径または対向面間距離が大きくなるような段付き面で構成し、凹部１１，４１が、対応する薄肉部１０，４０との境界位置から開口縁１３，４３側に進むに従って開口面積が広がる形状とするようにしてもよい。
【００５５】
前提技術および各実施形態においては、発光体として、ＬＥＤチップ２２，２３，２４を用いた例を示したが、これに限定されるものではなく、小さな豆電球や、ＥＬシートなどを用いても良い。
【００５６】
前提技術および各実施形態においては、異なる発光色のＬＥＤチップ２２，２３，２４を用いた例を示したが、同一の発光色のＬＥＤチップを用いる態様もあり得る。また、各実施形態においては、ＬＥＤチップ２２，２３，２４を異なるタイミングで発光させる例を示したが、同一タイミングで発光させる態様もあり得る。
【００５７】
前提技術および各実施形態においては、絵付の図柄に応じて光らせたい個々の箇所に対応して薄肉部１０，４０を形成し、該薄肉部１０，４０に対して１つのＬＥＤチップ２２，２３，２４からの光を透過させる例を示したが、絵付の図柄に応じて光らせたい２箇所以上に亘って薄肉部を形成し、該薄肉部に対して１つのＬＥＤチップ２２，２３，２４からの光を透過させる態様例もあり得る。
【００５８】
前提技術および各実施形態においては、ＬＥＤチップ２２，２３，２４を凹部１１，４１の内部に配置する例を示したが、凹部１１，４１の近傍にＬＥＤチップ２２，２３，２４を配置する態様例もあり得る。
【産業上の利用可能性】
【００５９】
本発明の陶磁器製装飾体は、例えば、マグカップ、ティーポット等の食器類、置時計、花器、陶板画やオブジェ等の美術品、ティッシュケース等の実用品、ブレスレット等の装飾品、瓦等の建築用製品、浴槽や便座等の水廻り品など、全ての陶器・磁器製品の装飾の用途に用いることができ、産業上の利用可能性が大である。
【符号の説明】
【００６０】
１Ａ〜１Ｃ        陶磁器製装飾体
２，３０          陶磁器本体
５                湾曲板状壁部
１０，４０        薄肉部
１１，４１        凹部
１９，４８，５３  ＬＥＤコントローラ
２１              可撓性テープ（支持部材）
２２，２３，２４  ＬＥＤチップ（発光体）
３１              筒状壁部
５０              サーモスイッチ
５２              温度センサ
【図１】
0006445991.tif 000002
【図２】
0006445991.tif 000003
【図３】
0006445991.tif 000004
【図４】
0006445991.tif 000005
【図５】
0006445991.tif 000006
【図６】
0006445991.tif 000007
【図７】
0006445991.tif 000008
【図８】
0006445991.tif 000009
【図９】
0006445991.tif 000010